(57)【要約】【課題】把持部の端部にケーブルユニットの端部を容易且つ確実に抜け止め固定し、簡単な構造で充分な強度が得られるようにする。【解決手段】把持部１２の下端部１２ｅに、ストッパ嵌合部２２の嵌合孔２３に一対の弓形リブ２２ａを対称に形成したグリップエンド２０を取り付ける。ケーブルストッパ３０のつまみ部３１と環状の嵌入部３２との間に一対の円弧状の溝３４を設け、嵌入部３２の外周部に弓形リブ２２ａの間隔より小さい間隔の一対の平面部３２ａを形成する。ケーブルユニット４０のケーブル４１を挿通させたケーブルストッパ３０を、所定の回転位置でグリップエンド２０の嵌合孔２３に挿入して略９０°回転させると、その円弧状の溝３４に各弓形リブ２２ａが嵌合し、グリップエンド２０に抜け止め固定され、その嵌入部３２がケーブルユニット４０のコネクタ支持部４３に設けたフランジ部４３ａを押え、ケーブルユニット４０を抜け止め固定する。【選択図】  図７
2018010503.tif 000002
【特許請求の範囲】
【請求項１】
本体部と把持部とを有する手持型の光学的情報読取装置であり、
前記把持部における内部にコネクタ受部を有する端部に装着される把持部端部材と、
ケーブルの端部にコネクタ支持部と該コネクタ支持部に支持されたコネクタを有し、該コネクタ及び前記コネクタ支持部を前記把持部端部材を通して前記把持部に挿入し、前記コネクタを前記コネクタ受部に挿着させるケーブルユニットと、
該ケーブルユニットの前記ケーブルを貫通させ、前記コネクタ支持部を前記把持部端部材に抜け止め固定するケーブル固定部材とを備え、
前記把持部端部材は、円筒状の嵌合孔が形成されたケーブル固定部材嵌合部を有し、前記嵌合孔の軸線に対して対称な位置に、それぞれ前記嵌合孔の内周面から径方向に弓形に張り出し、その弦に相当する位置の対向面が互いに平行な一対の弓形リブを形成しており、
前記ケーブル固定部材は、前記把持部端部材の前記嵌合孔に嵌入不能なつまみ部と、前記一対の弓形リブ間を通して嵌入可能な嵌入部とが、前記ケーブルを貫通させる貫通孔を有して一体に形成され、前記つまみ部と嵌入部との間の外周面に前記貫通孔の軸線に対して対称な一対の円弧状の溝を有し、前記嵌入部が前記嵌合孔に嵌入されて該嵌合孔の内周方向に回転されると、前記円弧状の溝に前記弓形リブが嵌入して、前記把持部端部材に抜け止め固定されるように構成され、
前記ケーブルユニットの前記コネクタ支持部に、前記ケーブル固定部材の前記嵌入部と同等な外周形状を有し、前記把持部端部材の前記嵌合孔を通過でき、前記ケーブル固定部材の前記嵌入部によって抜け止め固定されるフランジ部が形成されている
ことを特徴とする光学的情報読取装置。
【請求項２】
前記ケーブル固定部材は、前記嵌入部の外周面が前記軸線に対して対称な一対の円弧状部と互いに平行な一対の平面部とからなり、前記円弧状部の外径が前記嵌合孔の内径より僅かに小さく、前記一対の平面部の間隔が前記一対の弓形リブの間隔より僅かに小さく、前記円弧状の溝の溝幅が前記弓形リブの肉厚よりも僅かに大きいことを特徴とする請求項１に記載の光学的情報読取装置。
【請求項３】
前記ケーブル固定部材の前記貫通孔内にその内径を狭めた環状の押え面を形成し、該押え面によっても前記ケーブルユニットの前記コネクタ支持部の円筒状後端部を押えて抜け止めするようにしたことを特徴とする請求項１又は２に記載の光学的情報読取装置。
【請求項４】
前記ケーブル固定部材の前記つまみ部の前記溝側の端面における前記嵌入部の前記一対の平面部の一方に対応する位置に突起部を設け、
前記把持部端部材の前記ケーブル固定部材嵌合部の前記弓形リブと面一の環状端面に、前記突起部の移動範囲を規定して前記ケーブル固定部材の回転範囲を規制する円弧状の段差部を形成したことを特徴とする請求項２に記載の光学的情報読取装置。
【請求項５】
前記ケーブル固定部材の前記嵌入部の円弧状の外周面に、前記軸線の方向に沿う縦溝を設け、
前記把持部端部材の前記ケーブル固定部材嵌合部の前記嵌合孔の内周面に前記縦溝に嵌入可能な小突条を形成し、前記ケーブル固定部材が、前記円弧状の溝内に前記ケーブル固定部材嵌合部の前記弓形リブを全部嵌合させた回転位置で、前記小突条が前記縦溝に嵌入するようにしたことを特徴とする請求項１から４のいずれか一項に記載の光学的情報読取装置。
【請求項６】
前記ケーブル固定部材嵌合部の前記小突条を形成した部分の両側に、前記嵌合孔の軸線方向に沿う切り込みを形成し、前記小突条に前記嵌合孔の径方向への可撓性を持たせたことを特徴とする請求項５に記載の光学的情報読取装置。
【請求項７】
前記ケーブル固定部材の前記嵌入部が、前記把持部端部材の前記ケーブル固定部材嵌合部の前記嵌合孔内に嵌入可能な回転位置において、前記ケーブル固定部材と前記の把持部端部材のそれぞれ外部から見える対応する位置に目印となるマークを形成したことを特徴とする請求項１から６のいずれか一項に記載の光学的情報読取装置。
【請求項８】
前記ケーブルユニットは、前記ケーブルの端部付近の所定領域を保護するケーブル保護筒部を有し、該ケーブル保護筒部には、長手方向に一定の間隔で円周方向に対称な対の弧状溝が形成されており、該ケーブル保護筒部と前記コネクタ支持部とが、可撓性を有する絶縁材料で一体に成形されていることを特徴とする請求項１から７のいずれか一項に記載の光学的情報読取装置。
【発明の詳細な説明】
【技術分野】
【０００１】
本発明は、バーコードや二次元コード等の光学的情報を読み取るための光学的情報読取装置に関する。
【背景技術】
【０００２】
光学的情報読取装置として、商品の品名や価格等の情報を示すバーコードや二次元コード等の光学的情報（シンボル）を読み取るコードリーダが、流通業界や小売業界で広く使用されている。
【０００３】
このコードリーダは、片手で持って使用する手持型（ペンタイプを含む）と固定して使用する定置型に大別される。そのいずれにも、レーザスキャン方式とイメージ方式とがあるが、本発明の対象とする光学的情報読取装置は手持型コードリーダであり、レーザスキャン方式とイメージ方式のいずれをも含む。
このような手持型の光学的情報読取装置では、その内部に収納されている読み取りエンジン部に電源を供給したり、読み取りエンジン部で読み取ったコード読取情報を、コンピュータ等の情報処理装置へ出力するためのケーブルを接続する必要がある。
【０００４】
そのケーブルは、光学的情報読取装置を使用する際には確実に接続されていなければならない。しかし、メンテナンスや不使用時や保管時の便宜のため、光学的情報読取装置からケーブルを取り外せるようにした方がよい。
ただし、光学的情報読取装置を使用中にケ―ブルが外れないように、ケーブル端部を光学的情報読取装置の把持部に挿着したときには、その端部を把持部にしっかり抜け止め固定しなければならない。
【０００５】
このような要求に応えるためのケーブル着脱構造を有する光学的情報読取装置が、例えば特許文献１，２に開示されている。
これらの光学的情報読取装置では、ケースの把持部の下端面に保護部材を取り付け、ケーブルの端部を固定部材によって保護部材に固定する構造になっている。
【先行技術文献】
【特許文献】
【０００６】
【特許文献１】特開２０１３−２０４３５号公報
【特許文献２】特開２０１５−１０６２５８号公報
【発明の概要】
【発明が解決しようとする課題】
【０００７】
しかしながら、このような従来の光学的情報読取装置では、ケースの把持部の下端面及びそこに取り付ける保護部材に、多数の突起及び切欠き部等の係合部を形成しており、構造が複雑である。また、固定部材の保護部材への固定及びケーブル端部の抜け止め固定が、小さな凸部や係合片と切欠部や係合部によってなされており、充分な強度でケーブル端部を確実に抜け止め固定することができないという問題があった。
【０００８】
本発明は、このような技術背景に鑑みてなされたものであり、手持型の光学的情報読取装置において、把持部の端部にケーブルユニットの端部を容易且つ確実に抜け止め固定することができるようにすることを目的とする。しかも、構造が簡単で充分な強度が得られるようにすることも目的とする。
【課題を解決するための手段】
【０００９】
本発明による光学的情報読取装置は、本体部と把持部とを有する手持型の光学的情報読取装置であり、上記の目的を達成するため、上記把持部における内部にコネクタ受部を有する端部に装着される把持部端部材と、ケーブルの端部にコネクタ支持部とそのコネクタ支持部に支持されたコネクタを有し、そのコネクタ及び上記コネクタ支持部を上記把持部端部材を通して上記把持部に挿入し、上記コネクタを上記コネクタ受部に挿着させるケーブルユニットと、そのケーブルユニットの上記ケーブルを貫通させ、上記コネクタ支持部を上記把持部端部材に抜け止め固定するケーブル固定部材とを備えている。
【００１０】
そして、上記把持部端部材は、円筒状の嵌合孔が形成されたケーブル固定部材嵌合部を有し、上記嵌合孔の軸線に対して対称な位置に、それぞれ上記嵌合孔の内周面から径方向に弓形に張り出し、その弦に相当する位置の対向面が互いに平行な一対の弓形リブを形成している。
上記ケーブル固定部材は、上記把持部端部材の嵌合孔に嵌入不能なつまみ部と、上記一対の弓形リブ間を通して嵌入可能な嵌入部とが、上記ケーブルを貫通させる貫通孔を有して一体に形成され、上記つまみ部と嵌入部との間の外周面に上記貫通孔の軸線に対して対称な一対の円弧状の溝を有し、上記嵌入部が上記嵌合孔に嵌入されて該嵌合孔の内周方向に回転されると、上記円弧状の溝に上記弓形リブが嵌入して、上記把持部端部材に抜け止め固定されるように構成され、
上記ケーブルユニットのコネクタ支持部に、上記ケーブル固定部材の嵌入部と同等な外周形状を有し、上記把持部端部材の嵌合孔を通過でき、上記ケーブル固定部材の嵌入部によって抜け止め固定されるフランジ部が形成されている。
【００１１】
そのケーブル固定部材は、上記嵌入部の外周面が上記軸線に対して対称な一対の円弧状部と互いに平行な一対の平面部とからなり、上記円弧状部の外径が上記嵌合孔の内径より僅かに小さく、上記一対の平面部の間隔が上記一対の弓形リブの間隔より僅かに小さく、上記円弧状の溝の溝幅が上記弓形リブの肉厚よりも僅かに大きいことが望ましい。
上記ケーブル固定部材の貫通孔内にその内径を狭めた環状の押え面を形成し、その押え面によっても上記ケーブルユニットのコネクタ支持部の円筒状後端部を押えて抜け止めするようにするとよい。
また、上記ケーブル固定部材のつまみ部の上記溝側の端面における上記嵌入部の上記一対の平面部の一方に対応する位置に突起部を設け、上記把持部端部材の上記ケーブル固定部材嵌合部の弓形リブと面一の環状端面に、上記突起部の移動範囲を規定して上記ケーブル固定部材の回転範囲を規制する円弧状の段差部を形成するとよい。
【００１２】
上記ケーブル固定部材の嵌入部の円弧状の外周面に、上記軸線の方向に沿う縦溝を設け、上記把持部端部材のケーブル固定部材嵌合部の上記嵌合孔の内周面に上記縦溝に嵌入可能な小突条を形成し、上記ケーブル固定部材が、上記円弧状の溝内に上記ケーブル固定部材嵌合部の上記弓形リブを全部嵌合させた回転位置で、上記小突条が上記縦溝に嵌入するようにするのが望ましい。
その場合、上記ケーブル固定部材嵌合部の上記小突条を形成した部分の両側に、上記嵌合孔の軸線方向に沿う切り込みを形成し、上記小突条に上記嵌合孔の径方向への可撓性を持たせるとよい。
【００１３】
また、上記ケーブル固定部材の嵌入部が、上記把持部端部材のケーブル固定部材嵌合部の上記嵌合孔内に嵌入可能な回転位置において、上記ケーブル固定部材と上記の把持部端部材のそれぞれ外部から見える対応する位置に、目印となるマークを形成するとよい。
上記ケーブルユニットは、上記ケーブルの端部付近の所定領域を保護するケーブル保護筒部を有し、そのケーブル保護筒部には、長手方向に一定の間隔で円周方向に対称な対の弧状溝が形成されているのが望ましく、そのケーブル保護筒部と上記コネクタ支持部とを、可撓性を有する絶縁材料で一体に成形することができる。
【発明の効果】
【００１４】
本発明による光学的情報読取装置は、把持部の端部にケーブルユニットの端部を容易且つ確実に抜け止め固定することができ、しかも、構造が簡単で充分な強度が得られる。
【図面の簡単な説明】
【００１５】
【図１】本発明による光学的情報読取装置の一実施形態の全体斜視図である。
【図２】同じくその光学的情報読取装置の分解斜視図である。
【図３】図２に示したグリップエンド（把持部端部材）の詳細を示す図である。
【図４】図２に示したケーブルストッパの上面図と下面図である。
【図５】同じくその正面図と図４の（Ａ）におけるＹ−Ｙ線に沿う断面図である。
【図６】同じくその右側面図と図４の（Ａ）におけるＺ−Ｚ線に沿う断面図である。
【図７】図１及び図２に示した光学的情報読取装置のケーブルユニット取り付け工程を説明するための斜視図である。
【図８】図７の（Ｃ）の状態における光学的情報読取装置のケーブルユニット取付部の縦断面図である。
【図９】図７の（Ｄ）の状態における光学的情報読取装置のケーブルユニット取付部の縦断面図である。
【発明を実施するための形態】
【００１６】
以下、本発明を実施するための形態を図面に基づいて説明する。
まず、本発明による光学的情報読取装置の一実施形態の全体構成を図１及び図２を参照して具体的に説明する。
図１はその光学的情報読取装置全体を斜め前方から見た斜視図であり、図２はその光学的情報読取装置のケーブルユニット取り付け部を分解して示す分解斜視図である。
【００１７】
この光学的情報読取装置１は、本体部と把持部とを有する手持型の光学的情報読取装置（コードリーダ）であり、レーザスキャン方式のレーザスキャナでもイメージ方式のイメージリーダでもよい。硬質樹脂製のケース１０によって、内部に読取エンジンを収納した本体部１１と、使用者が片手で把持する把持部（グリップ部）１２とを構成している。
このケース１０は、成形の容易性及び組み立てやメンテナンスの便宜のため、適宜複数の部分に分けて成形した後、一体に組み付けるようにすることができる。
【００１８】
本体部１１の前面には、読み取るべきコードシンボルに対向させる読取口１１ａが形成されており、把持部１２の上部前面側には、読取開始を指示するためのトリガスイッチ１３が設けられている。
把持部１２の下端部１２ｅは前方に張り出しており、内部にコネクタ受部を有する下端部１２ｅに把持部端部材であるグリップエンド２０を装着する。そのグリップエンド２０に、ケーブルユニット４０を挿通させたケーブルストッパ３０を固定することによって、ケーブルユニット４０の端部を把持部１２に固定している。したがって、このケーブルストッパ３０がケーブル固定部材である。
【００１９】
ケーブルユニット４０は、電源線や信号線等をゴム又は樹脂のような可撓性絶縁材料で被覆したＬＡＮケーブルのようなケーブル４１の端部に、図２に示すように、コネクタ４４とそれを支持するコネクタ支持部４３を固着して取り付けている。コネクタ４４は角筒状のモジュラタイプで、その一側面にケーブル４１内の各電源線や信号線の端部がそれぞれ接続された端子が設けられている。そのコネクタ４４の端子が設けられた側面とは反対側の側面に、弾性片４４ｂが設けられている。
【００２０】
コネクタ支持部４３は、軟質樹脂等の幾分可撓性を有する絶縁材料で変形円筒状に形成され、そのコネクタ４４側にフランジ部４３ａが形成されている。
そのフランジ部４３ａには、コネクタ４４の基部を囲むように、挿入部４３ｂが形成されている。フランジ部４３ａの外周面には、コネクタ４４の端子が設けられた側面と弾性片４４ｂが設けられた側面にそれぞれ平行な一対の平面部４３ｃが、フランジ部４３ａの軸線に対称な外周部をＤカットによって一部削ぎ落として、二面取りした形状に形成されている。
このフランジ部４３ａの外周形状は、ケーブルストッパ３０の後述する嵌入部３２の外周形状と同等である。
【００２１】
このケーブルユニット４０は、コネクタ支持部４３のコネクタ４４と反対側の円筒部の端部から、ケーブル４１の端部付近の所定領域を保護するケーブル保護筒部４２を有している。そのケーブル保護筒部４２は、コネクタ支持部４３に近い側ほど肉厚が厚く、外周面が幾分円錐状をなしており、長さ方向に一定の間隔で、円周方向に対称な対の弧状溝４２ａが交互に９０°位置をずらして形成され、可撓性が高められている。
このケーブル保護筒部４２とコネクタ支持部４３とは、ゴムや軟質樹脂等の可撓性を有する絶縁材料によって一体に成形することができる。それによって、成形コスト及び部品点数を低減することができ、耐久性も向上する。
【００２２】
次に、把持部端部材であるグリップエンド２０の構成を、図２と図３を参照して説明する。図３は図２に示したグリップエンド２０の詳細を示す図であり、（Ａ）は上面図、（Ｂ）は（Ａ）におけるＸ−Ｘ線に沿う断面図、（Ｃ）は正面図、（Ｄ）は下面図である。
このグリップエンド２０は、平面形状が把持部１２の下端部１２ｅと同じ大きさ及び形状であり、この例では前方（図３で左側）が方形、後方（図３で右側）が円形の船型をなしている。このグリップエンド２０は、把持部の端部を保護する部材も兼ねており、ケース１０と同等の樹脂で形成するとよい。
【００２３】
このグリップエンド２０の上縁には、全周に亘って肉厚を薄くした把持部端嵌合部２１が形成されており、その後方端部には、受け孔２５ａを設けた嵌入片２５が把持部１２の下端部１２ｅに向かって延びている（図２参照）。
また、グリップエンド２０の後方寄りに円筒状のストッパ嵌合部２２が設けられている。このストッパ嵌合部２２がケーブル固定部材嵌合部である。
そのストッパ嵌合部２２には、ケーブルユニット４０のコネクタ４４及びコネクタ支持部４３を通過させ、ケーブルストッパ３０を嵌合させるための嵌合孔２３を形成している。したがって、嵌合孔２３の内径は、ケーブルユニット４０のコネクタ支持部４３のフランジ部４３ａの外径より大きい。
【００２４】
そのストッパ嵌合部２２の嵌合孔２３の軸線方向の下端部に、図３の（Ｄ）に示されているように環状端面２２ｅが形成されている。その環状端面２２ｅの軸線に垂直な円板の一部を図３の（Ａ）に示すＸ−Ｘ線に直交する平行な２平面で対称に切り残した形状（弓形）の一対の弓形リブ２２ａを形成している。その一対の弓形リブ２２ａは、ストッパ嵌合部２２の軸線に対して対称な位置に、それぞれ嵌合孔２３の内周面から径方向に弓形に張り出しており、弦に相当する位置の対向面が互いに平行である。その一対の弓形リブ２２ａの下面は、ストッパ嵌合部２２の環状端面２２ｅと同一面になっている。
【００２５】
この一対の弓形リブ２２ａの間隔は、ケーブルユニット４０のコネクタ支持部４３のフランジ部４３ａにおける一対の平面部４３ｃ間の寸法より大きい。
この一対の弓形リブ２２ａのうちのグリップエンド２０の長手方向中央側の弓形リブ２２ａの下面中央から環状端面２２ｅの図３の（Ｄ）で右回りに１／４円弧の範囲に、円弧状の段差部２２ｆが形成されている（同図の（Ｂ）も参照）。
【００２６】
また、ストッパ嵌合部２２の弓形リブ２２ａが形成されていない部分の一部に、図３の（Ａ）に示すように、上端側から一対の切り込み２２ｃによって嵌合孔２３の径方向への可撓性を持たせた可撓片２２ｂが形成されている。その可撓片２２ｂの嵌合孔２３側の面の周方向（幅方向）中央部に、軸線方向に延びる小突条２２ｄが形成されている。
このストッパ嵌合部２２は、補強用リブ２４によって補強されている。その前方寄りには、ねじ挿入孔２６が形成されている。さらに、このグリップエンド２０下面には、図３の（Ｄ）に示すように、ストッパ嵌合部２２の外側で段差部２２ｆの弓形リブ２２ａ上の端部と略対応する位置にマーク２７が形成されている。
【００２７】
次に、ケーブル固定部材であるケーブルストッパ３０の構成を、図２と図４〜図６を参照して説明する。
図４の（Ａ）は図２に示したケーブルストッパ３０の平面図、（Ｂ）は下面図である。図５の（Ａ）は同じくその正面図、（Ｂ）は図４の（Ａ）におけるＹ−Ｙ線に沿う断面図である。図６の（Ａ）は同じくその右側面図，（Ｂ）は図４の（Ａ）におけるＺ−Ｚ線に沿う断面図である。
【００２８】
このケーブルストッパ３０は、把持部端部材であるグリップエンド２０の嵌合孔２３に嵌入不能なつまみ部３１と、一対の弓形リブ２２ａ間を通して嵌入可能な嵌入部３２とが、ケーブル４１を貫通させる貫通孔３３を有して一体に形成されている。そして、つまみ部３１と嵌入部３２との間の外周面に、貫通孔３３の軸線に対して対称な一対の円弧状の溝３４を有する。それによって、このケーブルストッパ３０は、嵌入部３２がグリップエンド２０の嵌合孔２３に嵌入されてその内周方向に回転されると、各円弧状の溝３４に各弓形リブ２２ａが嵌入して、グリップエンド２０に抜け止め固定される。
【００２９】
このケーブルストッパ３０の構成をさらに詳細に説明すると、つまみ部３１と嵌入部３２とが貫通孔３３を有して硬質樹脂で一体に形成され、変形円筒状をなしている。そのつまみ部３１と嵌入部３２との間の外周面に、貫通孔３３の軸線に対して対称な一対の円弧状の溝３４が形成され、つまみ部３１と一対の円弧状の溝３４と嵌入部３２とが貫通孔３３の軸線方向に並んでいる。その円弧状の溝３４の溝幅は、グリップエンド２０の弓形リブ２２ａの肉厚より僅かに大きい。
【００３０】
この「僅かに大きい」とは、ケーブルストッパ３０の回転によって、円弧状の溝３４内にストッパ嵌合部２２の弓形リブ２２ａが容易に嵌入出できるためのクリアランス分だけ大きいことをいう。
貫通孔３３は、つまみ部３１内では図５及び図６の（Ｂ）に示すように開口から奥に向って内径が減少するテーパ孔３７に形成されており、嵌入部３２及び円弧状の溝３４側の内周との段差によって貫通孔３３内に環状の押え面３８が形成されている。
【００３１】
嵌入部３２は、全体として環状をなしているが、その外周部の貫通孔３３の軸線に対して対称な部分が、図４の（Ａ）に示すように互いに平行な一対の平面部３２ａに形成され、その一対の平面部３２ａの間隔がグリップエンド２０の一対の弓形リブ２２ａの間隔より僅かに小さい。この「僅かに小さい」とは、このケーブルストッパ３０の嵌入部３２が、グリップエンド２０のストッパ嵌合部２２の嵌合孔２３に挿入されたときに、一対の弓形リブ２２ａ間を容易に通過できるためのクリアランス分だけ小さいことをいう。
【００３２】
このケーブルストッパ３０の貫通孔３３の嵌入部３２及び円弧状の溝３４側の内径は、ケーブルユニット４０のコネクタ支持部４３の円筒部の外形より大きく、フランジ部４３ａの一対の平面部４３ｃ間の寸法より小さい。また、貫通孔３３内の環状の押え面３８の内径は、ケーブルユニット４０のコネクタ支持部４３の円筒部の外形より小さく、ケーブル保護筒部４２の基部の外径より大きい。
【００３３】
このケーブルストッパ３０の嵌入部３２の外周形状は、ケーブルユニット４０のコネクタ支持部４３のフランジ部４３ａの外周形状と同等である。
したがって、このケーブルストッパ３０は、その貫通孔３３内にケーブルユニット４０のコネクタ支持部４３の円筒部を嵌入させ、嵌入部３２の端面でそのフランジ部４３ａを押えて抜け止めし、貫通孔３３内の環状の押え面３８によってもコネクタ支持部４３の円筒部の後端を押えて抜け止めする。
【００３４】
さらに、このケーブルストッパ３０の嵌入部３２の円弧状の外周面の一方の平面部３２ａに近い位置に、図４〜図６の（Ａ）に示すように、軸線の方向に沿う縦溝３２ｂを形成している。
つまみ部３１の外周部には、嵌入部３２の一対の平面部３２ａと対応する対称な位置に、中心からの距離を短くして平面に近い凸曲面にした一対のつまみ面３１ａを形成している。
また、つまみ部３１の円弧状の溝３４側の端面３１ｂにおける嵌入部３２の一対の平面部３２ａの中央と対応する位置（図４の（Ａ）におけるＺ−Ｚ線上の位置）に、突起部３５を設けている。
【００３５】
つまみ部３１の上述した突起部３５と対応する下面側に、マーク３６を形成している。
このケーブルストッパ３０のマーク３６と、上述したグリップエンド２０のマーク２７は、次のように形成される。すなわち、ケーブルストッパ３０の嵌入部３２が、グリップエンド２０のストッパ嵌合部２２の嵌合孔２３内に、弓形リブ２２ａに当接せずに挿入可能な回転位置において、それぞれ外部から見える対応する位置に形成される。そのマーク３６とマーク２７は、凹部又は凸部によって、あるいは着色などによって目印として形成される。
【００３６】
このように構成したグリップエンド２０とケーブルストッパ３０を用いて、ケーブルユニット４０の端部をケース１０の把持部１２に抜け止め固定する工程を、図２及び図７〜図９等を参照して説明する。
図７は、図１及び図２に示した光学的情報読取装置１のケーブルユニット取り付け工程を説明するための斜視図である。図８は図７の（Ｃ）の状態における光学的情報読取装置１のケーブルユニット取付部の縦断面図、図９は図７の（Ｄ）の状態における光学的情報読取装置１のケーブルユニット取付部の縦断面図である。
【００３７】
グリップエンド２０は、この光学的情報読取装置の製造工程において、ケース１０の把持部１２の下端部１２ｅに装着される。その際、作業者は、グリップエンド２０の図２に示す嵌入片２５を把持部１２の下端部１２ｅ内に挿入する。そして、その受け孔２５ａに、図８に示すように把持部１２の下端部１２ｅの後部内壁から内側に突出した突起部１２ｃを挿入させる。さらに、グリップエンド２０の把持部端嵌合部２１を、嵌入片２５側から把持部１２の下端部１２ｅの周縁嵌合部に嵌合させる。
【００３８】
その後、図８に示すように、ねじ挿入孔２６（図３を参照）に止めねじ５０を挿入して、把持部１２のの下端部１２ｅの雌ねじ穴１２ｄにねじ込んで固定する。
この光学的情報読取装置１は、このようにして、図７に示すように、把持部１２における内部にコネクタ受部を有する下端部１２eに、把持部端部材であるグリップエンド２０が装着されている。
【００３９】
次に、ユーザが、ケーブルユニット４０のコネクタ４４を把持部１２内のコネクタ受部に挿着して、コネクタ支持部４３をグリップエンド２０に抜け止め固定する手順を説明する。
ケーブルストッパ３０は、嵌入部３２をコネクタ支持部４３側に向けてケーブルユニット４０を挿通させておく。そのケーブルユニット４０の先端に設けたコネクタ４４を、図７の（Ａ）に矢示Ｐで示す方向に、グリップエンド２０を通して把持部１２の下端部１２ｅに挿入する。
その際、コネクタ支持部４３のフランジ部４３ａの一対の平面部４３ｃの向きを、グリップエンド２０の嵌合孔２３内の一対の弓形リブ２２ａの対向面の向きと一致させ（平行にし）て、コネクタ４４及びコネクタ支持部４３を嵌合孔２３に挿入する。
【００４０】
それによって、コネクタ４４は弾性片４４ｂが撓んで、図８に示すように、把持部１２の下端部１２ｅ内に設けられたコネクタ受部１２ａに挿入される。そして、弾性片４４ｂの弾性力によって、コネクタ４４の各端子（図示を省略）がコネクタ受部１２ａの各端子（図示を省略）に押し付けられて電気的に接続され、接続基板１４の配線に接続される。
なお、このコネクタ４４は、一般のモジュラタイプのコネクタのように、コネクタ受部１２ａに挿入されたときに抜け止めされる構造にはなっていない。そのため、コネクタ４４の弾性片４４ｂを押さえなくても、コネクタ支持部４３を強く引き戻せば，コネクタ４４がコネクタ受部１２ａから抜けるようになっている。
【００４１】
このように、ケーブルユニット４０のコネクタ４４を把持部１２内のコネクタ受部に挿着した状態で、ユーザがケーブルストッパ３０のつまみ部３１のつまみ面３１ａを指でつまんで、図７の（Ｂ）に示すように、マーク３６をグリップエンド２０のマーク２７と一致する向きにする。そして、矢示Ｑで示す方向に移動させて、その嵌入部３２をグリップエンド２０の嵌合孔２３に挿入する。
【００４２】
このとき、ケーブルストッパ３０の嵌入部３２の一対の平面部３２ａが、グリップエンド２０の嵌合孔２３内に張り出している一対の弓形リブ２２ａの対向面と平行な向きになっているため、嵌入部３２は弓形リブ２２ａの間を容易に通過できる。それは、嵌入部３２の一対の平面部３２ａの間隔がグリップエンド２０の一対の弓形リブ２２ａの間隔より僅かに小さいからである。
【００４３】
なお、ケーブルストッパ３０の嵌入部３２がグリップエンド２０の嵌合孔２３に挿入される際に、図３の（Ａ）に示した小突条２２ｄを押圧するが、可撓片２２ｂが径方向の外方へ若干撓むことによって、嵌入部３２の挿入が容易になる。
しかし、グリップエンド２０の材質が若干弾性を有していれば、ストッパ嵌合部２２に一対の切り込み２２ｃによって可撓片２２ｂを形成することなく、嵌合孔２３の内周面に直接小突条２２ｄを形成してもよい。あるいは、他のクリック止め手段を設けてもよい。
【００４４】
この状態を図７の（Ｃ）及び図８に示している。この状態から、ユーザが、図７の（Ｄ）に矢示Ｒで示すように、ケーブルストッパ３０を右旋方向に回転させると、ケーブルストッパ３０は、円弧状の溝３４内にグリップエンド２０の一対の弓形リブ２２ａをそれぞれ嵌入させながら回転する。そのため、嵌入部３２が一対の弓形リブ２２ａによって抜け止めされる。
【００４５】
ケーブルストッパ３０を回転角θ＝約９０°回転させると、各円弧状の溝３４内にグリップエンド２０の各弓形リブ２２ａを全部嵌合させた回転位置（ロック状態の位置）になる。このとき、図３の（Ｄ）に点線で示す突起部３５が位置Ｐ２で、グリップエンド２０の環状端面２２ｅに形成された段差部２２ｆの端部に当接して、ケーブルストッパ３０の回転が規制される。その直前で、ケーブルストッパ３０の嵌入部３２の外周面に形成された縦溝３２ｂに、ストッパ嵌合部２２の可撓片２２ｂに形成された小突条２２ｄが嵌入して、ユーザにクリック感を与える。また、この縦溝３２ｂと小突条２２ｄとの嵌合によって、光学的情報読取装置１の操作中にケーブルストッパ３０が不用意に回転して、ロックが解除されるのを防止できる。
【００４６】
このロック状態を、図７の（Ｄ）及び図９に示している。このロック状態では、グリップエンド２０の一対の弓形リブ２２ａの位置と、ケーブルストッパ３０の嵌入部３２の一対の平面部３２ａの位置とが略９０°ずれている。そのため、グリップエンド２０の一対の弓形リブ２２ａの全体がケーブルストッパ３０の環状又は円弧状の溝３４内に嵌合され、嵌入部３２を確実に係止する。したがって、ケーブルストッパ３０はグリップエンド２０からの抜けを完全に抜け止め固定される。
【００４７】
そして、このケーブルストッパ３０の嵌入部３２の端面が、ケーブルユニット４０のコネクタ支持部４３のフランジ部４３ａに当接して押え、抜け方向への移動を阻止する。したがって、ケーブルユニット４０の端部がグリップエンド２０に抜け止め固定され、ケーブル４１にコネクタ４４を引き抜く方向の力が作用しても、コネクタ４４がコネクタ受部１２aから抜ける恐れはなくなる。
この実施形態ではさらに、ケーブルストッパ３０の貫通孔３３内の環状の押え面３８によっても、ケーブルユニット４０におけるコネクタ支持部４３の円筒部の後端面を押えるため、一層確実にケーブルユニット４０の抜けを防ぐことができる。
【００４８】
この状態からケーブルストッパ３０を反時計方向に力を入れて回転させれば、ロックが解除される。しかし、嵌入部３２の外周面に形成された縦溝３２ｂに、ストッパ嵌合部２２の可撓片２２ｂの小突条２２ｄとが嵌合して回転止めをしているため、ケーブルストッパ３０が不用意に回転することはない。
【００４９】
ケーブルユニット４０を把持部１２から取り外したい場合には、ケーブルストッパ３０を、図７の（Ｄ）に矢示Ｒで示した方向と反対の方向（ロック解除方向）に力を入れて回転させる。その際、図３の（Ｄ）に点線で示す突起部３５が位置Ｐ１で、グリップエンド２０の環状端面２２ｅに形成された段差部２２ｆの弓形リブ２２ａ側端部に当接して、ケーブルストッパ３０の回転が規制される。
【００５０】
このとき、グリップエンド２０のマーク２７とケーブルストッパ３０のマーク３６の位置が一致する。そして、ケーブルストッパ３０の嵌入部３２の一対の平面部３２ａが、グリップエンド２０の嵌合孔２３内の一対の弓形リブ２２ａの対向面と平行な向きになり、図８に示したロック解除状態になる。
したがって、ケーブルストッパ３０を、嵌入部３２が弓形リブ２２ａと干渉することなく、グリップエンド２０から抜き出すことができ、それによってケーブルユニット４０のコネクタ支持部４３の抜け止め固定が解除される。
【００５１】
その後、ケーブルユニット４０のコネクタ支持部４３をつまんで外方へ強く引っ張れば、コネクタ４４がコネクタ受部１２ａから抜けて、ケーブルユニット４０をグリップエンド２０を通して把持部１２から取り外すことができる。
【００５２】
なお、突起部３５と段差部２２ｆによってケーブルストッパ３０の回転範囲を規制することは必須ではなく、突起部と段差部を逆に形成してもよいし、他の手段によってケーブルストッパ３０の回転範囲を規制してもよい。また、ケーブルストッパ３０のつまみ部３１のつまみ面３１ａやマーク３６の位置で、ケーブルストッパ３０の凡その回転角度が分かるので、回転範囲を規制する手段を省略してもよい。
また、グリップエンド２０のストッパ嵌合部２２とケーブルストッパ３０の嵌入部３２との間にある程度の摩擦抵抗があって、ケーブルストッパ３０が不用意に回転する恐れがない場合には、嵌入部３２の縦溝３２ｂとストッパ嵌合部２２の小突条２２ｄを省略してもよい。
【００５３】
この構成およびケーブルユニット取付方法によれば、ケーブルユニット４０のコネクタ４４を設けた端部を、光学的情報読取装置１の把持部１２に、容易且つ確実に抜け止め固定することができ、使用中に不用意にケーブルユニット４０が外れるようなことがない。しかも、構造が簡単で充分な強度が得られ、ケーブルユニット４０の着脱操作も容易である。
【００５４】
グリップエンド２０の弓形リブ２２ａから環状端面２２ｅに形成する段差部２２ｆの形成位置を、図３の（Ｄ）で長手方向に沿う中心線に対して対称な位置に変更すれば、ケーブルストッパ３０を左旋方向に約９０°回転させたときにケーブルユニット４０を抜け止め固定するように構成することもできる。その場合、グリップエンド２０のストッパ嵌合部２２に形成する可撓片２２ｂ及び小突条２２ｄの位置も、図３の（Ａ）でＸ−Ｘ線に対して対称な位置に変更する。また、ケーブルストッパ３０の嵌入部３２の外周面に形成する縦溝３２ｂの位置も、図４の（Ａ）でＺ−Ｚ線に対して対称な位置に変更する。
【００５５】
本発明による光学的情報読取装置によって読み取る光学的情報は、バーコードに限らず、ＰＤＦ４１７やＱＲコード（登録商標）、アズテックコード（Aztec  Code）等の各種二次元コードでもよい。
【００５６】
以上、本発明の実施形態について説明したが、本発明はこれらに限るものではなく、その構成を適宜追加、変更、あるいは一部の構成を省略して実施したり、形状や材料を変更してもよいことは勿論である。
上述した実施形態及び変形例の構成は、相互に矛盾しない限り任意に組み合わせて実施可能であることも勿論である。
【産業上の利用可能性】
【００５７】
この発明による光学的情報読取装置は、バーコードリーダ、二次元コードリーダ等の各種の光学的情報読取装置に適用することができる。
【符号の説明】
【００５８】
１：光学的情報読取装置    １０：ケース    １１：本体部    
１２：把持部（グリップ部）    １２ａ：コネクタ受部    
１２ｃ：突起部    １２ｄ：雌ねじ穴    １２ｅ：下端部    
１３：トリガスイッチ    １４：接続基板    
２０：グリップエンド（把持部端部材）    ２１：把持部端嵌合部    
２２：ストッパ嵌合部    ２２ａ：弓形リブ    ２２ｂ：可撓片    
２２ｃ：切り込み    ２２ｄ：小突条    ２２ｅ：環状端面    ２２ｆ：段差部    
２３：嵌合孔    ２４：補強用リブ    ２５：嵌入片    ２５ａ：受け孔    
２６：ねじ挿入孔    ２７：マーク    
３０：ケーブルストッパ（ケーブル固定部材）    ３１：つまみ部    
３１ａ：つまみ面    ３１ｂ：溝側の端面    ３２：嵌入部    ３２ａ：平面部    
３２ｂ：縦溝    ３３：貫通孔    ３４：円弧状の溝    ３５：突起部    
３６：マーク    ３７：テーパ孔    ３８：押え面    
４０：ケーブルユニット    ４１：ケーブル    ４２：ケーブル保護筒部    
４２ａ：弧状溝    ４３：コネクタ支持部    ４３ａ：フランジ部    
４３ｂ：挿入部    ４３ｃ：平面部    ４４：コネクタ    ４４ｂ：弾性片    
５０：止めねじ    
【図１】
2018010503.tif 000003
【図２】
2018010503.tif 000004
【図３】
2018010503.tif 000005
【図４】
2018010503.tif 000006
【図５】
2018010503.tif 000007
【図６】
2018010503.tif 000008
【図７】
2018010503.tif 000009
【図８】
2018010503.tif 000010
【図９】
2018010503.tif 000011